(57)【特許請求の範囲】
【請求項１】
メダルを遊技媒体として使用する遊技機に隣接して備えられ、メダルの貸出を行うメダル貸出装置において、
前記メダルを内部に貯留する本体部と、
該本体部から前記遊技機に設けられたメダル貯留皿側へ向けて下り傾斜した状態で延設されるとともに、傾斜下端にはメダル排出口を開設し、前記本体部内のメダルを流下させて前記メダル排出口から前記メダル貯留皿側へ供給するメダル供給管と、を備え、
該メダル供給管の下面には、前記メダル排出口の下縁部が前記メダル貯留皿の内側起立壁に沿う状態となるように前記メダル貯留皿に係止可能な凸部を突設し、
前記メダル排出口を前記内側起立壁よりも上方となるように配設することを特徴とするメダル貸出装置。
【発明の詳細な説明】
【技術分野】
【０００１】
本発明は、メダルを遊技媒体として使用するスロットマシン等の遊技機に隣接して備えられ、メダルの貸出を行うメダル貸出装置に関する。
【背景技術】
【０００２】
メダルを遊技媒体として使用する遊技機、例えばスロットマシンを設置している遊技場においては、メダルを遊技者に貸し出すメダル貸出装置をスロットマシンに隣接した状態で設置して、遊技者がスロットマシンの前から離れずにメダルの貸し出しを受けられるようになっている。また、遊技者がメダルをメダル貸出装置からスロットマシンへ移し変える手間をなくすために、メダル貸出装置にメダル供給管を備え、該メダル供給管の先端をスロットマシンのメダル貯留皿へ臨ませる旨が提案されている（例えば、特許文献１，２参照）。
【先行技術文献】
【特許文献】
【０００３】
【特許文献１】特開平１１−３４２２５８号公報
【特許文献２】特開２００６−１５０１１７号公報
【発明の概要】
【発明が解決しようとする課題】
【０００４】
ところで、上記各特許文献に記載のメダル貸出装置においては、メダル供給管の先端がメダル貯留皿の凹み部（貯留空間部）の上方に重なってしまい、メダル貯留皿内のメダルの一部がメダル供給管の下方に位置してしまう。この結果、遊技者がメダル貯留皿内のメダルをスムーズに取り出すことができない。また、メダル供給管の先端部が支持されておらず不安定である。
【０００５】
本発明は、上記の事情に鑑みてなされたものであり、その目的は、遊技者がメダル供給管に邪魔されずにメダル貯留皿からメダルを支障なく取り出すことができ、また、メダル貯留皿を利用してメダル供給管を安定させることができるメダル貸出装置を提供しようとするものである。
【課題を解決するための手段】
【０００６】
本発明は、上記目的を達成するために提案されたものであり、請求項１に記載のものは、メダルを遊技媒体として使用する遊技機に隣接して備えられ、メダルの貸出を行うメダル貸出装置において、
前記メダルを内部に貯留する本体部と、
該本体部から前記遊技機に設けられたメダル貯留皿側へ向けて下り傾斜した状態で延設されるとともに、傾斜下端にはメダル排出口を開設し、前記本体部内のメダルを流下させて前記メダル排出口から前記メダル貯留皿側へ供給するメダル供給管と、を備え、
該メダル供給管の下面には、前記メダル排出口の下縁部が前記メダル貯留皿の内側起立壁に沿う状態となるように前記メダル貯留皿に係止可能な凸部を突設し、
前記メダル排出口を前記内側起立壁よりも上方となるように配設することを特徴とするメダル貸出装置である。
【発明の効果】
【００１１】
本発明によれば、以下のような優れた効果を奏する。
請求項１に記載の発明によれば、遊技者がメダル供給管に邪魔されずにメダル貯留皿からメダルを支障なく取り出すことができる。また、メダル貯留皿を利用してメダル供給管を安定させることができる。
【図面の簡単な説明】
【００１６】
【図１】メダル貸出装置およびスロットマシンの正面図である。
【図２】メダル貸出装置およびスロットマシンの斜視図である。
【図３】メダル貸出装置およびスロットマシンの平面図である。
【図４】（ａ）はメダル貸出装置とメダル供給管との位置関係を示す図であり、（ａ）は平面図、（ｂ）は正面図、（ｃ）は斜視図である。
【図５】メダル供給管の説明図であり、（ａ）は正面図、（ｂ）は斜視図である。
【図６】第２実施形態においてジャバラ形状で構成されたメダル供給管の説明図であり、（ａ）は収縮状態の正面図、（ｂ）は伸長状態の説明図、（ｃ）はメダル貯留皿に係止した状態の説明図である。
【図７】第３実施形態におけるメダル貸出装置およびスロットマシンの正面図である。
【図８】第３実施形態におけるメダル貸出装置およびスロットマシンの斜視図である。
【図９】第３実施形態におけるメダル供給管とメダル貯留皿との位置関係を示す説明図であり、（ａ）はメダル貸出装置側の前方から見た斜視図、（ｂ）はスロットマシン側の前方から見た斜視図である。
【図１０】メダル供給管の下面に係止突起を突設した第３実施形態の変形例であり、（ａ）はメダル貸出装置の正面図、（ｂ）はメダル供給管の正面図、（ｃ）はメダル供給管の斜視図である。
【発明を実施するための形態】
【００１７】
以下、メダルを遊技媒体とする代表的な遊技機であるスロットマシンと、このスロットマシンに使用されるメダルの貸出を行うメダル貸出装置とを例に挙げて、本発明の実施の形態を図面に基づき説明する。なお、説明の便宜上、スロットマシンおよびメダル貸出装置に対して遊技者側を「前」または「表」と称し、スロットマシンおよびメダル貸出装置を挟んで遊技者とは反対側を「後」または「裏」と称す。
まず、スロットマシンについて説明する。スロットマシン１は、図１〜図３に示すように、メダル貸出装置２と隣り合わせて配置されている。そして、前面が開口した筐体４の前面側に前扉（前面枠）５を一側縁部（図１中、スロットマシン１を挟んでメダル貸出装置２とは反対側となる左側縁部）が軸着されて開閉可能な状態で取り付け、筐体４の内部には、３つの独立回動可能なリール（図示せず）を備えた可変表示装置７を収納している。また、リールの外周面（表示部）に図柄や数字等の識別情報を複数記載し、前扉５の上下方向の中央部分に開設された可変表示用開口部８からリールの外周面を臨ませて複数の識別情報を可変表示可能としている。さらに、前扉５の前面のうち可変表示用開口部８の上方には演出表示装置１１を備え、可変表示用開口部８の下方には、遊技者が操作する操作パネル１２を配置している。そして、操作パネル１２よりも下方に位置する前扉５の下部には、装飾パネル１４、スロットマシン１内からメダルを払い出すメダル払出口１５、メダル払出口１５から払いだされたメダルを貯留するメダル貯留皿１６、灰皿１７、スピーカ１８を備えている。
【００１８】
詳しくは、装飾パネル１４よりも下方にメダル貯留皿１６を配置し、該メダル貯留皿１６を挟んでメダル貸出装置２とは反対の側方（図１中、左側方）に灰皿１７を配置している。また、メダル貯留皿１６の後側に起立する後側区画壁１６ａの左右方向の中央部にメダル払出口１５を開設し、該メダル払出口１５の左右両側方には透音孔１９をそれぞれ開設し、該透音孔１９の後方にスピーカ１８を配置している。さらに、メダル貯留皿１６の前側に起立する前側区画壁１６ｂを上縁部が下縁部よりも前方に位置する上り傾斜姿勢に設定して、メダルが貯留される貯留空間部の前後幅（スロットマシン１の前後方向に沿った幅）がメダル貯留皿１６の内側底面１６ｃに向かうに連れて次第に狭くなるように構成されている。
【００１９】
また、操作パネル１２の上面のうち前扉５の軸着端側（図２中、左側）には、ゲームにおける賭数を設定するベットボタン２１を配置し、前扉５の自由端側（図２中、右側）には、遊技者が遊技媒体であるメダルを投入可能なメダル投入口２２を配置している。そして、操作パネル１２の前面のうち前扉５の軸着端側（図２中、左側）には、遊技者がゲームの開始時に操作してリールの回転（識別情報の可変表示）をスタートさせるスタートレバー２３を備え、操作パネル１２の前面の左右方向の中央部には、リールの回転動作を停止させて識別情報の可変表示をストップさせるストップボタン２４をリールの位置に合わせて横方向に並べて配置している。さらに、操作パネル１２の前面においてスタートレバー２３よりも前扉５の軸着端側の位置には、スロットマシン１内に貯留されているメダルの精算および既に投入されているメダルの払い戻しを行うための精算ボタン２５を備え、ストップボタン２４よりも前扉５の自由端側の位置には、スロットマシン１内のメダルセレクター（図示せず）に滞留したメダルを返却するためのメダル返却ボタン２６を備えている。
【００２０】
このような構成を備えたスロットマシン１における遊技は、次のようにして行われる。まず、遊技者がメダル投入口２２にメダルを投入し、ベットボタン２１を操作してゲームの賭数を設定する。賭数の設定後にスタートレバー２３を操作（具体的には押し下げ操作）すると、スロットマシン１が各リールを回転して変動表示ゲームを開始し、可変表示装置７において複数（例えば３つ）の識別情報を可変表示する。さらに、遊技者が任意のタイミングでストップボタン２４を押圧操作すると、この押圧操作されたストップボタン２４に対応するリールが回転を停止して識別情報の可変表示が終了し、停止状態の識別情報を可変表示用開口部８から臨ませる。そして、全てのストップボタン２４が押圧操作された結果、停止した識別情報の組み合わせ、言い換えると変動表示ゲームの結果態様が予め設定された特別結果態様（例えば、各リールが同じ識別情報を可変表示用開口部８から臨ませて直線上に並べた状態で停止）となった場合には、スロットマシン１が特別遊技状態（所謂大当たり）を発生させて、予め定められた特別遊技価値としての賞メダルをメダル払出口１５から排出して遊技者へ付与する。
【００２１】
次に、スロットマシン１に隣接されるメダル貸出装置２について説明する。
メダル貸出装置２は、遊技者の貸出操作（具体的には、遊技者による紙幣の挿入操作）に基づいてメダルを貸し出す装置であり、図１〜図４に示すように、縦長矩形状の本体部３１と、該本体部３１の前面から延設されたメダル供給管３２とを備えて構成されており、予め設定された金額の紙幣を取り込むと複数枚のメダルを貸し出す（例えば、千円紙幣１枚の取り込みに対して５０枚のメダルを貸し出す）ように設定されている。
【００２２】
本体部３１は、メダルを貯留したり送出したりするホッパー装置や紙幣を取り込む紙幣取込装置等（何れも図示せず）を内蔵し、紙幣取込装置を当該本体部３１内の上側に配置するとともにホッパー装置を当該本体部３１内の下側に配置している。また、本体部３１の前面の上部には紙幣挿入口３４を開設して紙幣取込装置へ連通し、紙幣挿入口３４の上方には紙幣取出扉３５を施錠可能な状態で設け、紙幣取出扉３５を開いて本体部内の紙幣（詳しくは、紙幣取込装置に取り込まれて貯留された紙幣）を取り出せるように構成されている。さらに、本体部３１の前面の下部にはメダル供給管３２を接続してホッパー装置のメダル送出口（図示せず）へ連通し、ホッパー装置から送り出されるメダルをメダル供給管３２へ通してメダル貸出装置２の外へ排出可能としている。また、メダル供給管３２の上方にはメダル補給扉３６を施錠可能な状態で設け、メダル補給扉３６を開いてホッパー装置にメダルをメダル貸出装置２の外から補給できるように構成されている。そして、紙幣挿入口３４とメダル補給扉３６との間にはメダル払出カウント表示器３７を配置し、ホッパー装置によるメダル払出動作に基づいて、メダル払出カウント表示器３７にメダルの払出残り枚数をカウントダウン表示、または払出済み枚数をカウントアップ表示するように構成されている。
【００２３】
メダル供給管３２は、本体部３１の前面からメダル貯留皿１６側へ向けて下り傾斜した状態で延設された管状部材である。具体的には、図４および図５に示すように、本体部３１側に位置する上流部４１をメダル貸出装置２の前方へ向けて下り傾斜させ、該上流部４１の傾斜下端に接続される中流部４２をメダル貸出装置２の前方位置からスロットマシン１側（図４（ａ）中、左側）へ湾曲しながら下り傾斜させ、該中流部４２の傾斜下端に接続される下流部４３をメダル貯留皿１６の側方（図４（ｂ）中、右側方）からメダル貯留皿１６側へ向けて下り傾斜させている。そして、下流部４３の傾斜下端（メダル供給管３２の傾斜下端）には矩形状のメダル排出口４４を開設してメダル貯留皿１６の上方へ向けて開放し、本体部３１内のメダルを当該メダル供給管３２内に流下させてメダル排出口４４からメダル貯留皿１６へ供給するように構成されている。また、下流部４３の下面（詳しくは、下流部４３の下面のうちメダル排出口４４側に位置する箇所）からは、ゴム等の弾性材で構成された係止部（凸部）４５を突設し、該係止部４５を当該係止部４５の基端を挟んでメダル排出口４４とは反対側（図５（ａ）中、右側）に向けて下り傾斜させている。そして、下流部４３の断面の横幅（下流部４３の下り傾斜方向とは直交する断面の横幅）を上流部４１の断面の横幅（上流部４１の下り傾斜方向とは直交する断面の横幅）よりも狭く設定し、中流部４２の断面の横幅（上流部４１の下り傾斜方向（湾曲方向）とは直交する断面の横幅）を上流部４１側から下流部４３側に向かうに連れて次第に狭くなる状態に設定している。
【００２４】
このような構成を備えたメダル貸出装置２においては、図４（ｃ）に示すように、係止部４５をメダル貯留皿１６のうちメダル貸出装置２側（図４（ｃ）中、右側）に位置する上縁部へ引っ掛けると、メダル排出口４４の下縁部がメダル貯留皿１６の内側表面、詳しくはメダル貸出装置２側（図４（ｃ）中、右側）に位置する内側起立面（内側起立壁）１６ｄに沿う状態でメダル貯留皿１６にメダル供給管３２を係止する。この結果、メダル貯留皿１６に貯留されたメダルがメダル供給管３２の下方に入り込む不都合を避けることができる。したがって、遊技者がメダル供給管３２に邪魔されずにメダル貯留皿１６からメダルを支障なく取り出すことができる。また、メダル貯留皿１６を利用してメダル供給管３２を安定させることができる。
【００２５】
さらに、係止部４５が当該係止部４５の基端を挟んでメダル排出口４４とは反対側に向けて下り傾斜しているので、メダル排出口４４がメダル供給管３２の基端側へ移動しようとする不都合、ひいてはメダル供給管３２がメダル貯留皿１６から外れようとする不都合を阻止することができる。また、係止部４５を弾性材で構成しているので、係止部４５を撓ませてメダル貯留皿１６に係脱させることができ、メダル供給管３２のメダル貯留皿１６への係止作業や係止解除作業を容易に行うことができる。
【００２６】
例えば、メダル供給管３２の下流部４３を二重管構造で構成する等して当該下流部４３の下り傾斜方向（長手方向）に沿って伸縮可能とした場合、メダル排出口４４をメダル貯留皿１６に近づける時には、まず係止部４５を突出端（下端）がメダル供給管３２の上流側に向く状態で撓ませる。そして、この撓み状態でメダル供給管３２の下流部４３を伸長すれば、係止部４５がメダル貯留皿１６の上縁部を容易に乗り越えてメダル貯留皿１６の内側に位置することができる。さらに、メダル貯留皿１６の内側に位置したところで係止部４５の撓みを解いて常態（下り傾斜状態）に復元すると、係止部４５の突出端がメダル貯留皿１６の内側起立面１６ｄに当接し、メダル貯留皿１６にメダル供給管３２を容易に係止することができる。また、メダル貯留皿１６に係止された状態でメダル供給管３２の下流部４３を収縮してメダル排出口４４をメダル貯留皿１６から遠ざける時には、係止部４５を突出端（下端）がメダル供給管３２の下流側に向く状態で撓ませ、係止部４５をメダル貯留皿１６の内側起立面１６ｄから外す。そして、この撓み状態でメダル供給管３２の下流部４３を収縮すれば、係止部４５がメダル貯留皿１６の内側からメダル貯留皿１６の上縁部を容易に乗り越えてメダル貯留皿１６の外方へ外れることができ、メダル供給管３２のメダル貯留皿１６への係止状態を容易に解除することができる。
【００２７】
ところで、上記実施形態では、メダル供給管３２を断面矩形状の管部材で構成したが、本発明はこれに限定されない。例えば、図６に示す第２実施形態では、メダル供給管３２′を当該メダル供給管３２′の長手方向に沿って伸縮可能なジャバラ形状（ジャバラホース）で構成している。具体的に説明すると、図６（ａ）および（ｂ）に示すように、ジャバラホースで構成されたメダル供給管３２′の一端を本体部３１の前面に接続してホッパー装置のメダル払出口へ連通し、メダル供給管（ジャバラホース）３２′の他端の開口をメダル排出口４４′としている。そして、図６（ｃ）に示すように、メダル供給管３２′を一端から他端へ向けて下り傾斜させるとともにメダル供給管３２′の中間部分を曲げてメダル排出口４４′をメダル貯留皿１６に向け、他端部をメダル貯留皿１６の上縁部に載置すると、他端部の下側（メダル貯留皿１６の上縁部に向いた箇所）の山部分（ジャバラ形状の山部分）が係止部４５′として機能してメダル貯留皿１６の内側起立面１６ｄに引っ掛かり、メダル供給管３２′をメダル貯留皿１６へ係止することができる。また、メダル供給管３２′をジャバラ形状で構成しているので、メダル供給管３２′を伸縮してメダル排出口４４′の位置を容易に調整することができ（図６（ａ）および（ｂ）参照）、メダル排出口４４′の下縁部がメダル貯留皿１６の内側起立面１６ｄに沿う状態を簡単に設定することができる。
【００２８】
ところで、上記各実施形態では、メダル排出口４４，４４′の下縁部をメダル貯留皿１６の内側起立面１６ｄに沿う状態でメダル貯留皿１６にメダル供給管３２を係止したが、本発明はこれに限定されない。例えば、メダル供給管３２，３２′を下端部がメダル貯留皿１６内に挿入できる長さに設定し、係止部４５，４５′をメダル貯留皿１６の上縁部に引っ掛けてメダル供給管３２，３２′をメダル貯留皿１６へ係止すると、メダル排出口４４，４４′の下縁部がメダル貯留皿１６の内側底面１６ｃに沿う状態（言い換えると、メダル供給管３２，３２′の下端がメダル貯留皿１６の内側底面１６ｃに当接する状態）に設定されるようにしてもよい。メダル排出口４４，４４′の下縁部がメダル貯留皿１６の内側底面１６ｃに沿う状態でメダル貯留皿１６にメダル供給管３２，３２′を係止すれば、メダル供給管３２，３２′とメダル貯留皿１６の内側底面１６ｃとの間にメダルが進入可能な隙間が形成され難くなり、メダル貯留皿１６に貯留されたメダルがメダル供給管３２，３２′の下方に入り込む不都合を避けることができる。したがって、遊技者がメダル供給管３２，３２′に邪魔されずにメダル貯留皿１６からメダルを支障なく取り出すことができる。
【００２９】
さらに、図７〜９に示す第３実施形態のメダル貸出装置２は、基本的には第１実施形態と同じであるが、メダル排出口４４の下縁部をメダル貯留皿１６の内側底面１６ｃに沿って配置可能とする係止部をメダル供給管の傾斜下端に備えた点で異なる。具体的に説明すると、第３実施形態におけるメダル供給管３２は、下流部４３の長さを該下流部４３の下端がメダル貯留皿１６内に位置可能となる寸法に設定し、下流部４３の傾斜下端には、上部および一側部（図８中、メダル排出口４４を挟んで本体部３１とは反対側に位置する左側部）が開放された塵取り形状の係止ユニット５０（本発明における係止部の一種）を備えている。係止ユニット５０は、メダル排出口４４の上縁部および両側縁部から外方へ延設されたフランジ部５１と、メダル排出口４４の下縁部からメダル貯留皿１６の内側底面１６ｃに沿って延設された平板状の嵌合部５２と、該嵌合部５２の前後両縁部から上方へ起立した起立壁５３とを備えて構成されている。そして、起立壁５３のうちフランジ部５１側に位置する縁部をフランジ部５１の側縁部へ接続し、係止ユニット５０の底部となる嵌合部５２の前後幅（メダル貯留皿１６の前後方向に沿った幅）をメダル貯留皿１６の前後方向の内側寸法の最小値、言い換えるとメダル貯留皿１６の内側底面１６ｃの前後幅よりも僅かに狭く設定している。
【００３０】
このような構成の係止ユニット５０を備えたメダル供給管３２においては、図９（ａ）および（ｂ）に示すように、当該メダル供給管３２の下流部４３をメダル貯留皿１６の貯留空間部内に挿入し、係止ユニット５０をメダル払出口１５から本体部３１側（図９（ａ）中、右側）にずらして起立壁５３によるメダル払出口１５の閉塞を避け、嵌合部５２をメダル貯留皿１６の内側底面１６ｃ上に載置する。すると、嵌合部５２がメダル貯留皿１６の内側底面１６ｃ上に重なってメダル貯留皿１６内に嵌合してメダル供給管３２がメダル貯留皿１６に係止され、メダル排出口４４の下縁部がメダル貯留皿１６の内側底面１６ｃに沿って配置される。この結果、メダル供給管３２とメダル貯留皿１６の内側底面１６ｃとの間にメダルが進入可能な隙間を形成せずに、メダル供給管３２をメダル貯留皿１６へ係止することができ、メダル貯留皿１６に貯留されたメダルがメダル供給管３２の下方に入り込む不都合を避けることができる。したがって、遊技者がメダル供給管３２に邪魔されずにメダル貯留皿１６からメダルを支障なく取り出すことができる。また、メダル貯留皿１６を利用してメダル供給管３２を安定させることができる。しかも、メダル貯留皿１６の縁部の形状に拘らず、メダル供給管３２をメダル貯留皿１６へ係止することができる。
【００３１】
なお、下流部４３の傾斜下端に塵取り形状の係止ユニット５０を設けたメダル供給管３２においては、図１０に示すように、メダル供給管３２の下流部４３の下面に係止突起５５を係止ユニット５０とは別個に本発明における係止部の一種として備えてもよい。具体的に説明すると、図１０に示す第３実施形態の変形例では、メダル供給管３２の下流部４３の下面のうち係止ユニット５０よりも上流側に位置する箇所から、ゴム等の弾性材で構成された係止突起５５を突設し、該係止突起５５を当該係止突起５５の基端を挟んでメダル排出口４４とは反対側（図１０（ｂ）中、右側）に向けて下り傾斜させている。
【００３２】
このような構成の係止突起５５を係止ユニット５０とともに備えたメダル供給管３２をメダル貯留皿１６へ係止するには、メダル供給管３２の下流部４３をメダル貯留皿１６の貯留空間部内に挿入し、係止ユニット５０の嵌合部５２をメダル貯留皿１６の内側底面１６ｃ上に載置する。すると、嵌合部５２がメダル貯留皿１６の内側底面１６ｃ上に重なってメダル貯留皿１６内に嵌合して、メダル排出口４４の下縁部がメダル貯留皿１６の内側底面１６ｃに沿って配置される。さらには、係止突起５５がメダル貯留皿１６のうちメダル貸出装置２側に位置する上縁部へ引っ掛かる。したがって、メダル貯留皿１６にメダル供給管３２を係止ユニット５０および係止突起５５の２箇所で十分に係止することができる。これにより、遊技者がメダル貯留皿１６内のメダルを掴もうとして手をメダル供給管３２にぶつけてしまったとしても、メダル供給管３２がずれ難い。このため、メダル排出口４４の下縁部がメダル貯留皿１６の内側底面１６ｃから遠ざかってしまう不都合、ひいては、メダルのメダル供給管３２の下方への侵入を許容する隙間が形成されてしまう不都合を避けることができる。
【００３３】
ところで、上記第３実施形態およびその変形例では、起立壁５３を設けて係止ユニット５０を塵取り形状としたが、本発明はこれに限定されない。例えば、メダル排出口４４の下縁部から延設された嵌合部５２のみで係止ユニット５０を構成し、該嵌合部５２（係止ユニット５０）をメダル貯留皿１６の内側底面１６ｃ上に重ねて嵌合して、メダル供給管３２をメダル貯留皿１６へ係止するように構成してもよい。
【００３４】
また、上記各実施形態では、紙幣が投入されるとメダルを貸し出すメダル貸出装置２について説明したが、本発明はこれに限定されない。要は、遊技者に貸し出されるメダルをメダル供給管３２へ通してスロットマシン１のメダル貯留皿１６へ供給するメダル貸出装置であれば、どのような構成のメダル貸出装置であってもよい。例えば、硬貨が投入されたりプリペイドカードが挿入されたりするとメダルの貸出操作を実行するメダル貸出装置でもよい。さらに、メダル貸出装置に隣接される代表的な遊技機としてスロットマシンを例に挙げて説明したが、本発明はこれに限らず、遊技媒体であるメダルを貯留可能なメダル貯留皿が備えられた遊技機であればどのような遊技機であってもよい。
【００３５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００３６】
１  スロットマシン
２  メダル貸出装置
４  筐体
５  前扉
７  可変表示装置
１１  演出表示装置
１２  操作パネル
１５  メダル払出口
１６  メダル貯留皿
１６ａ  後側区画壁
１６ｂ  前側区画壁
１６ｃ  内側底面
１６ｄ  内側起立面
２１  ベットボタン
２２  メダル投入口
２３  スタートレバー
２４  ストップボタン
３１  本体部
３２，３２′  メダル供給管
３４  紙幣挿入口
３５  紙幣取出扉
３６  メダル補給扉
３７  メダル払出カウント表示器
４１  上流部
４２  中流部
４３  下流部
４４，４４′  メダル排出口
４５，４５′  係止部
５０  係止ユニット
５１  フランジ部
５２  嵌合部
５３  起立壁
５５  係止突起
【図１】
0005898463.tif 000002
【図２】
0005898463.tif 000003
【図３】
0005898463.tif 000004
【図４】
0005898463.tif 000005
【図５】
0005898463.tif 000006
【図６】
0005898463.tif 000007
【図７】
0005898463.tif 000008
【図８】
0005898463.tif 000009
【図９】
0005898463.tif 000010
【図１０】
0005898463.tif 000011